(57)【要約】【課題】ポンプ上端部を被覆するオーバーキャップを着脱自在に装着した液体噴出容器であって、使用時には液の噴出方向が容易に判別でき、また、噴出口近傍の汚れも極力防止でき、しかも不使用時にはオーバーキャップによりポンプ頂部への埃の付着等を確実に防止できる液体噴出容器を提案する。【解決手段】噴出ヘッド１４前部外周に凹み周面部１７を設け、該凹み周面部にオーバーキャップ９内に収納可能な小突出幅のノズル１８を突設した。【選択図】図１
2004059097.tif 000002
【特許請求の範囲】
【請求項１】
胴部４より口頸部５を起立させた容器体２と、上記口頸部５に嵌合させた装着キャップ６の上面外周縁部より係止筒１２を立設するとともに、係止筒１２内より有頂筒状のカバー１６を有する噴出ヘッド１４を上方付勢状態で押し込み可能に突出させたポンプ３とを備え、上記噴出ヘッド１４は、少なくとも前部外周に凹み周面部１７を備え、該凹み周面部にノズル１８を突設してその先端に噴出口２０を開口したことを特徴とする液体噴出容器。
【請求項２】
胴部４より口頸部５を起立させた容器体２と、上記口頸部５に嵌合させた装着キャップ６の上面外周縁部より係止筒１２を立設するとともに、係止筒１２内より有頂筒状のカバー１６を有する噴出ヘッド１４を上方付勢状態で押し込み可能に突出させ、且つ、係止筒１２外周に周壁２２下端部を嵌合させて着脱自在にオーバーキャップ９を装着したポンプ３とを備え、上記噴出ヘッド１４は、少なくとも前部外周に凹み周面部１７を備え、該凹み周面部にオーバーキャップ９内に収納可能な小突出幅のノズル１８を突設してその先端に噴出口２０を開口したことを特徴とする液体噴出容器。
【請求項３】
上記噴出ヘッド１４のカバー周壁１６ｂ　下端部に、上記凹み周面部１７による隙間を埋めてその外周面を係止筒１２内周面に下降可能に近接させた異形フランジ２１を突設してなる請求項２記載の液体噴出容器。
【発明の詳細な説明】
【０００１】
【発明の属する技術分野】
本発明は液体噴出容器に関する。
【０００２】
【従来の技術】
液体噴出容器として、胴部より口頸部を起立した容器体と、上記口頸部外周に嵌合させた装着キャップに上端部を固定したシリンダの下部を容器体内に垂下し、シリンダ上端より突設したステムの上端に噴出ヘッドを嵌着固定した作動部材を上方付勢状態で押し込み可能に設けたポンプとを備え、作動部材の上下動により容器体内の液を吸い上げて噴出ヘッドの噴出口より噴出する如く構成したものが知られている。
【０００３】
この種の容器のうちで、装着キャップ上面周縁部より係止筒を立設し、この係止筒外周に周壁下部を着脱可能に嵌合させたオーバーキャップを備えたものがある。これらはまた、外周壁下部を係合筒内周に押し下げ可能に垂下した有頂筒状のカバーを有する噴出ヘッドを備え、その外周壁面に噴出口を開口している。
【０００４】
【発明が解決しようとする課題】
上記液体噴出容器は、噴出口が外周壁面表面に開口しているため、使用者がその噴出方向を確認しずらく、また、噴出口周囲の壁面が汚れ易いという不都合があった。一方、外周壁よりノズルを突設し、その先端に噴出口を開口したものも使用されており、これらはその様な不都合を解消できるが、オーバーキャップの装着を考慮していないため、ノズルの先端が装着キャップの外方に至る程その突出幅が大きい。更に、この様なノズルを突設した噴出ヘッドを使用して、オーバーキャップを設けたものもあるが、その場合にはオーバーキャップの周壁下端より上方に切溝を穿設し、該切溝よりノズルを突出した状態でオーバーキャップを装着する如く構成しており、切溝からの埃等の侵入がありキャップ自体の存在意義が希薄となる。
【０００５】
本発明は上記した点に鑑みてなされたもので、上記形態の液体噴出容器に於いて、使用時には液の噴出方向が容易に判別でき、また、噴出口近傍の汚れも極力防止でき、しかも、不使用時にはオーバーキャップによりポンプ頂部への埃の付着等を確実に防止できる優れた液体噴出容器を提案するものである。
【０００６】
【課題を解決するための手段】
本請求項１発明の液体噴出容器は上記課題を解決するため、胴部４より口頸部５を起立させた容器体２と、上記口頸部５に嵌合させた装着キャップ６の上面外周縁部より係止筒１２を立設するとともに、係止筒１２内より有頂筒状のカバー１６を有する噴出ヘッド１４を上方付勢状態で押し込み可能に突出させたポンプ３とを備え、上記噴出ヘッド１４は、少なくとも前部外周に凹み周面部１７を備え、該凹み周面部にノズル１８を突設してその先端に噴出口２０を開口したことを特徴とする液体噴出容器として構成した。
【０００７】
また、請求項２発明の液体噴出容器は、胴部４より口頸部５を起立させた容器体２と、上記口頸部５に嵌合させた装着キャップ６の上面外周縁部より係止筒１２を立設するとともに、係止筒１２内より有頂筒状のカバー１６を有する噴出ヘッド１４を上方付勢状態で押し込み可能に突出させ、且つ、係止筒１２外周に周壁２２下端部を嵌合させて着脱自在にオーバーキャップ９を装着したポンプ３とを備え、上記噴出ヘッド１４は、少なくとも前部外周に凹み周面部１７を備え、該凹み周面部にオーバーキャップ９内に収納可能な小突出幅のノズル１８を突設してその先端に噴出口２０を開口したことを特徴とする液体噴出容器として構成した。
【０００８】
また、請求項３発明の液体噴出容器は、上記噴出ヘッド１４のカバー周壁１６ｂ　下端部に、上記凹み周面部１７による隙間を埋めてその外周面を係止筒１２内周面に下降可能に近接させた異形フランジ２１を突設してなる請求項２記載の液体噴出容器として構成した。
【０００９】
【発明の実施の形態】
以下、本発明の実施の形態を図面を参照して説明する。
【００１０】
本発明の液体噴出容器１は、容器体２と、ポンプ３とを備えている。
【００１１】
容器体２は合成樹脂等により形成したもので、筒状の胴部４より口頸部を起立して構成している。
【００１２】
ポンプ３は主として合成樹脂を使用し、必要に応じて金属，エラストマー等を併用して形成したもので、装着キャップ６と、シリンダ７と、作動部材８と、オーバーキャップ９とを備えている。
【００１３】
装着キャップ６は、上記口頸部５外周に嵌合させた装着筒１０の上端縁より内方へ延設した頂板１１の中央に作動部材８を挿通する窓孔を穿設し、また、頂板１１上面周縁部より上方へ、オーバーキャップ９を嵌合係止させるための係止筒１２を起立している。また、頂板１１の内周縁部はシリンダ７の上端を嵌着するために、下端を開口した有頂二重筒状の挟持部１１ａ　に隆起形成している。図示例に於いて装着筒１０は、その内周面に周方向多数の縦突条を縦設し、一方、口頸部５外周にも同様に縦突条を縦設し、両者を係合させて回動防止を図っている。また、口頸部５外周下端部をやや大径に形成して、この大径部分外周に装着筒１０の下端部が固嵌めされて上方への抜け出し防止を図っている。
【００１４】
シリンダ７は、上端を上記挟持部１１ａ　に挟持させて下端を容器体２内に垂設しており、内部下端部に吸込弁（図示せず）を内蔵している。
【００１５】
作動部材８は、シリンダ７に対して上方付勢状態で押し下げ可能に装着したもので、シリンダ７の上端開口より装着キャップ６の上記窓孔を介して突出したステム１３の上端に噴出ヘッド１４を嵌着している。ステム１３の下端部には、シリンダ７内周面を摺動可能に嵌合させたピストン（図示せず）を連係させ、コイルスプリング（図示せず）により作動部材を常時上方へ付勢させている。また、ステム１３の内部上部には吐出弁１５を設けている。
【００１６】
噴出ヘッド１４は有頂筒状のカバー１６を有し、係止筒１２内より上方付勢状態で押し込み可能に突出させている。本発明に於ける噴出ヘッド１４は、少なくとも前部外周に凹み周面部１７を備え、該凹み周面部１７によりオーバーキャップ９内に収納可能な小突出幅のノズル１８を突設している。上記凹み周面部１７は、上記係止筒１２内周に沿ったカバー１６外周の平面形状から外面を内方へ凹ませた形状であって、ノズル１８の突出幅を維持できる凹み幅に形成する。その形状は上記要件を満たせば特に限定されないが、図１の実施例では、円筒状のカバー外周面を、図２に示す如く、半径の小さい外周面として後方にずらした形態としており、また、図７に示す実施例では、前部一部を曲率半径の大きい外周面とした形態としているが、これに限られない。
【００１７】
また、ノズル１８の突出幅は、上記した如くオーバーキャップ９内に収納可能であれば特に限定されないが、その突出幅ｄが１ｍｍ以上あれば、噴出方向の目印として充分機能でき、また、周囲の壁面に液の付着を極力防止できるものである。
【００１８】
図示例では、ステム１３上端部に嵌着した縦筒１９をカバー頂壁１６ａ　裏面より垂設するとともに、カバー頂壁１６ａ　周縁部よりカバー周壁１６ｂ　を垂設し、また、縦筒１９上部に基端部を開口したノズル１８の先端を上記凹み周面部１７部分のカバー周壁１６ｂ　前部を貫通してその先端に噴出口２０を開口している。
【００１９】
また、噴出ヘッド１４のカバー１６外周下端部を係止筒１２内周に下降可能に近接させて構成しても良い。この様に構成することにより、使用時に係止筒１２内への埃の侵入を防止し、ひいてはシリンダ７内への埃等の侵入を極力防止するものである。具体的一例として、図示例にある如く、カバー周壁１６ｂ　外周下端部に、その凹み周面部１７による隙間を埋めてその外周面を係止筒１２内周面に下降可能に近接させた異形フランジ２１を突設することにより行える。
【００２０】
オーバーキャップ９は、係止筒１２外周に周壁２２下端部を嵌合させて着脱可能に装着するとともに、周壁２２上端縁より頂壁２３を延設した下端開口の筒状をなしている。
【００２１】
上記の如く構成した液体噴出容器１は、オーバーキャップ９を外し、噴出ヘッド１４を押し下げることにより内臓ポンプ機構の作用で液をヘッド１４の噴出口より噴出する如く構成している。
【００２２】
尚、上記実施例では、オーバーキャップを備えた容器に関して説明したが、オーバーキャップのない容器も本発明液体噴出容器に含まれる。例えば、図１の容器において、オーバーキャップがなく、噴出ヘッド１４は、少なくとも前部外周に凹み周面部１７を備え、該凹み周面部にノズル１８を突設してその先端に噴出口２０を開口したものが挙げられる。その他の構成は図１の実施例と同様である。
【００２３】
【発明の効果】
以上説明した如く本請求項１発明の液体噴出容器は、既述構成としたことにより、ノズルの突出幅が小さいため引っかかる等の不都合を生じる虞はなく、一方、ノズルの存在で噴出方向が判り易く、また、噴出液が噴出口周囲に壁面に付着する等の不都合を防止できる等の利点がある。
【００２４】
また、請求項２発明の液体噴出容器は、不使用時にはオーバーキャップを装着しておくことができ、ポンプ頂部への埃等の付着を極力防止でき、その結果ノズル開口部の詰まり、噴出ヘッドの作動不良等の不都合を生じることを極力防止できるものである。また、使用時には、突出したノズルの存在で噴出方向が一目瞭然となり、また、噴出液が噴出口周囲の壁面に付着する等の不都合を防止できるものである。また、従来品と比較して、噴出ヘッドの形態を一部変更するだけで得られるため、製造上の煩雑さもなく、容易且つ安価に製造できる利点も兼ね備えている。
【００２５】
また、請求項３発明の液体噴出容器では、使用時に於ける係止筒と噴出ヘッドのカバー周壁との間からの埃等の侵入をより確実に防止できるという利点を兼ね備えている。
【図面の簡単な説明】
【図１】本発明の一実施例を示す一部切欠側面図である。
【図２】同実施例の噴出ヘッドを示す平面図である。
【図３】同実施例の噴出ヘッドを示す半断面図である。
【図４】同実施例の噴出ヘッドを示す底面図である。
【図５】同実施例の噴出ヘッドを示す縦断面図である。
【図６】本発明の噴出ヘッドの他の一例を示す平面図である。
【符号の説明】
２…容器体，３…ポンプ，４…胴部，５…口頸部，６…装着キャップ，
９…オーバーキャップ，１２…係止筒，１４…噴出ヘッド，１６…カバー，
１７…凹み周面部，２０…噴出口，２１…異形フランジ，
２２…オーバーキャップ周壁
【図１】
2004059097.tif 000003
【図２】
2004059097.tif 000004
【図３】
2004059097.tif 000005
【図４】
2004059097.tif 000006
【図５】
2004059097.tif 000007
【図６】
2004059097.tif 000008